【手続補正書】
【提出日】平成18年2月20日(2006.2.20)
【手続補正１】
【補正対象書類名】特許請求の範囲
【補正対象項目名】請求項１
【補正方法】変更
【補正の内容】
【請求項１】
少なくとも１個のモータと、
前記モータに連結された少なくとも１個のポンプ駆動ヘッドと、
流体を収容する変形可能な流体室を形成する少なくとも１個の流体ハウジングとを備え、この流体ハウジングが少なくとも１個の出入口を備え、この出入口がボール弁保持器領域と、弁座と、前記ボール弁保持器領域内に配置されたオクルダーボールを備え、前記ポンプ駆動ヘッドが変形可能な前記流体室を変形し、前記流体室内に圧力差を生じ、それによって前記流体室の容積を変更し、前記流体室の中または外へ前記流体を圧送し、前記圧力差が前記オクルダーボールを前記ボール弁保持器領域内の第１の位置から前記ボール弁保持器領域内の第２の位置に移動させ、第１の位置からの移動によって、流体が前記出入口を通過できなくなり、第２の位置への移動によって、前記オクルダーボールが前記弁保持器に抗して押され、前記流体が前記のオクルダーボールの周りに環状に移動し、第１の位置から第２の位置への前記オクルダーボールの前記移動が、前記流体の流れ内にわずかな逆戻りを生じることを特徴とする、流体を圧送するためのポンプ。
【手続補正２】
【補正対象書類名】明細書
【補正対象項目名】０００４
【補正方法】変更
【補正の内容】
【０００４】
本発明の特徴に従い、ポンプシステムが設けられる。このポンプシステムは少なくとも１個のリニア電磁モータを備えている。このモータは空隙を形成するコアと、空隙の近くでコアの少なくとも一部の周りに巻付けられた少なくとも１個のコイルと、１個以上の磁石からなり、空隙内にリニア方向（直線方向）に移動可能に配置された磁石部材とを備えている。更に、１個以上の磁石が定置配置され、ワイヤコイルは空隙内を通過して移動することができる。少なくとも１個のポンプ駆動ヘッドは移動部材に連結され、それによってポンプ駆動ヘッドはリニア方向に移動可能である。ポンプシステムは更に、流体を収容するための流体室を形成する少なくとも１個の流体ハウジングを備えている。この流体ハウジングは可動の壁と１つ以上の出入口を備えている。ポンプ駆動ヘッドは可撓性のダイヤフラムに接触してこのダイヤフラムを動かす。それによって、流体が出入口を経て駆動される。
【手続補正３】
【補正対象書類名】明細書
【補正対象項目名】０００９
【補正方法】変更
【補正の内容】
【０００９】
リニアモータ流体ポンプシステム１０はリニアモータ１２とポンプ１６を備えている。リニアモータ１２は好ましくは米国特許第５，２１６，７２３号明細書に詳細に開示された種類のようなリニア電磁モータである。この米国特許は参照によってここに完全に組み込まれる。このリニアモータ１２は好ましくは比較的に静かで、高トルクであり、そして低速直線運動を生じる。リニアモータ１２は空隙２２を形成するコア２０を備えている。１個以上のコイル２４が空隙２２に近いコア２０の部分に巻かれている。磁石部材２６は空隙２２内に位置決めされ、矢印２８によって示すように直線方向に移動可能である。
【手続補正４】
【補正対象書類名】明細書
【補正対象項目名】００１４
【補正方法】変更
【補正の内容】
【００１４】
或る好ましい実施の形態では、ハウジング５２がプラスチック材料からなり、可動の壁５６がエラストマー製の可撓性ダイヤフラムである。可動の壁５６として可撓性ダイヤフラムを使用することにより、ポンプ駆動ヘッド５０が引っ込むときに可動の壁５６は元の位置に戻る。例示的な実施の形態はドーム状のハウジング５２を示しているが、他の形も本発明の範囲に含まれる。
【手続補正５】
【補正対象書類名】明細書
【補正対象項目名】００３１
【補正方法】変更
【補正の内容】
【００３１】
ＶＡＤを制御する代替的な方法では、制御アルゴリズムを実施するソフトウェアを実行するマイクロプロセッサを備えた図１１に示すコントローラ１２１あるいは等価値のアナログ回路が、使用者に拡張期血圧、収縮期血圧およびストローク容積を入力するように指示する。コントローラ１２１はこの入力を用いて、所望な拡張期血圧を維持するために、ポンプ拡張中に、予め定めた拡張期電流をモータに供給する。この位置に達した後で、コントローラ１２１は、収縮期血圧を維持するために、予め定めた収縮期電流をモータに供給する。収縮期電流は患者の系１２２に血液を押込む室１１４に対して相対的なポンプ圧力を供給する。拡張期電流と収縮期電流を規定時間供給する代わりに、コントローラ１２１は、予め定めたプランジャ位置（ストローク容積）が達成されるまで、電流を供給することができる。各電流の時間は可変であり、それぞれポンプの前負荷（心房圧力）と後負荷（動脈圧力）に依存する。
【手続補正６】
【補正対象書類名】明細書
【補正対象項目名】００３５
【補正方法】変更
【補正の内容】
【００３５】
他の実施の形態では、本発明は、図１１に示した、生理的拍動流を生じる緊急心臓補助のための、最小侵襲性の体外のＶＡＤシステム１１０を含んでいる。最小侵襲性の体外のＶＡＤシステム１１０は、ポンプ１１２、好ましくは上記の可動磁石形リニアモータを備えている。このポンプは流体室１１４と弁を有していない単一ポート１１６を備えている。ポンプ１１２は太腿動脈１２２に至る経皮カニューレ１２０を用いて患者１１８に接続されている。ポンプ１１２のタイミングは患者１１８のＥＫＧ１２３を読み取ることによっておよびコントローラ１２１に対するＥＫＧ値に応答してポンプ１１２のフィードバック制御を設けることによって制御可能である。
【手続補正７】
【補正対象書類名】明細書
【補正対象項目名】００３７
【補正方法】変更
【補正の内容】
【００３７】
他の実施の形態において、本発明は図１２に示した、一体化された人工心肺（ＣＰＢ）システム１３２を備えている。この人工心肺システムは、好ましくはサポート面１４０に取付けられた４個のポンプ１３２，１３４，１３６，１３８を備えている。ポンプ１３２，１３４，１３６，１３８は当業者に知られているポンプでもよいがしかし、リニアモータと、この明細書で開示した構造のボール弁を有する入口１４４と出口１４６を備えたポンプが好ましい。
【手続補正８】
【補正対象書類名】明細書
【補正対象項目名】００４４
【補正方法】変更
【補正の内容】
【００４４】
【図１】本発明の実施の形態によるリニアモータポンプシステムの概略的な斜視図である。
【図２】図１に示したリニアモータポンプシステムを部分的に切断して示す側面図である。
【図３】本発明の他の実施の形態によるリニアモータポンプシステムの概略的な側面図である。
【図４】本発明の他の実施の形態によるリニアモータポンプシステムの概略的な斜視図である。
【図５】本発明の他の実施の形態によるリニアモータポンプシステムの概略的な斜視図である。
【図６】本発明の実施の形態による、流体ポンプで使用される可撓性の壁の断面図である。
【図７】図６に示した可撓性の壁の圧縮状態の断面図である。
【図８】本発明の実施の形態による血液ポンプの斜視図である。
【図９】図８に示した血液ポンプの部分断面図である。
【図１０】本発明の実施の形態による、患者と共に使用される血液ポンプの概略的な斜視図である。
【図１１】本発明の他の実施の形態による、患者と共に使用される最小侵襲性の体外の人工心臓装置の概略的な斜視図である。
【図１２】本発明の他の実施の形態による、一体化された心肺バイパスシステムの概略的な斜視図である。